(57)【要約】【課題】既設の浴槽に対し適用可能な、湯水の温度を測定し表示する手段に関する。【解決手段】排水栓装置１は浴槽Ｙ底部の排水口部分に装着される栓機構部２、操作機構部３、操作力伝達部材４から構成される。栓機構部２に温度検知器１０を設け、操作機構部３に液晶画面２０に数値をデジタル表示する温度表示部２０や，検知温度によって色の異なるＬＥＤ２１を発光させるように構成した温度表示部２１を設ける。温度検知器１０と温度表示部２０，２１とは配線３０で接続され、その途中に温度表示を実行させるための制御装置４０が配設される。この排水栓装置１は、浴槽に手を加えることなく設置できるから既設の浴槽を適用対象にできる。湯水の温度検知の実行箇所は排水口部分であるから、貯水量が少ないときであっても、温度検知器１０と湯水とを確実に接触させることができる。温度表示部２０，２１の表示を読み取りやすい。【選択図】      図２
2005207126.tif 000002
【特許請求の範囲】
【請求項１】
浴槽の底部に形成された排水口に装着される栓機構部と、浴槽又は浴槽の近傍に設置される操作機構部とを、操作力伝達部材で接続してなる排水栓装置であって、前記栓機構部に温度検知器が設けられ、当該温度検知器の検知結果を表示する温度表示部が前記操作機構部に設けられていることを特徴とする浴槽用排水栓装置。
【請求項２】
前記栓機構部における排水口の開閉を制御する栓体部材に前記温度検知器を設けた請求項１に記載の浴槽用排水栓装置。
【請求項３】
前記栓機構部の固定部分と浴槽底部との間に前記温度検知器を設けた請求項１に記載の浴槽用排水栓装置。
【請求項４】
前記操作機構部における操作力を作用させる操作部材に前記温度表示部を設けた請求項１乃至３のいずれかに記載の浴槽用排水栓装置。
【請求項５】
前記操作機構部の固定部分と取付対象部材との間に前記温度表示部を設けた請求項１乃至３のいずれかに記載の浴槽用排水栓装置。
【発明の詳細な説明】
【技術分野】
【０００１】
本発明は、浴槽に溜めた湯水の温度を測定し表示する手段に関し、既設の浴槽に対しても容易に適用可能な技術を提供するものである。
【背景技術】
【０００２】
特許文献１に、入浴前又は入浴中などに浴槽に溜められた湯の温度を表示することのできる技術として、浴槽の側壁内面に温度検知器を設けると共に、浴槽の上縁部に温度表示部を配置したものが記載されている。
【特許文献１】特開２００３−２４２２５公報
【発明の開示】
【発明が解決しようとする課題】
【０００３】
特許文献１に記載の技術は、温度検知器及び温度表示部を浴槽自体に設けるため、浴槽を加工する必要がある。このため、浴槽の製造コストが高くなるという問題、及び、既設の浴槽に適用するのが困難であるという問題を有している。
【課題を解決するための手段】
【０００４】
前記従来の問題を解決するために本発明が採用した浴槽用排水栓装置の特徴とするところは、浴槽の底部に形成された排水口に装着される栓機構部と、浴槽又は浴槽の近傍に設置される操作機構部とを、操作力伝達部材で接続してなり、前記栓機構部に温度検知器を設け、当該温度検知器の検知結果を表示する温度表示部を前記操作機構部に設けたところにある。
【０００５】
本発明が適用対象とする排水栓装置は、例えば、操作機構部の押しボタンや操作レバー等の操作部材を操作することにより、操作機構部の栓体部材を昇降させて排水口の開閉を制御するように構成されるものであり、操作機構部と栓機構部とは、プッシュ・プルケーブルやリンク機構等の操作力伝達部材で接続され、操作機構部に入力した操作力が、栓機構部へ機械的に伝達されるようなされている。操作機構部の配置は、これの取付対象部材が浴槽自体の場合、その上縁部とされることが多く、浴槽の周辺とする場合は、浴槽近傍の平坦部や立壁部などが適宜選択される。
【０００６】
なお温度検知器の配置は、前記栓機構部における排水口の開閉を制御する栓体部材とするほか、前記栓機構部の固定部分と浴槽底部との間とすることが考えられる。
【０００７】
また温度表示部の配置についても、前記操作機構部における操作力を作用させる操作部材としたり、前記操作機構部の固定部分と取付対象部材との間とすることが考えられる。
【発明の効果】
【０００８】
本発明によれば、温度検知器及び温度表示部を排水栓装置に設けたので、浴槽に手を加えることなく、浴槽に貯留した湯水の温度を検知する手段を提供できる。従って、排水栓装置を本発明品と交換するだけでよいから、既設の浴槽に対しても容易に取り付けることが可能である。
【発明を実施するための最良の形態】
【０００９】
本発明は、図１に示すような、浴槽Ｙに取り付けられる排水栓装置１に適用される。同排水栓装置１は、浴槽Ｙ底部の排水口部分に装着される栓機構部２と、この栓機構部２に設けられた栓体部材２ａの開閉を遠隔操作するための操作機構部３と、操作機構部３から入力した操作力を栓機構部２へ伝達するためのケーブル等操作力伝達部材４とから構成される。そして本例では、操作機構部３の操作レバー等操作部材３ａを下方へ押し込むことにより、栓機構部２の栓体部材２ａを押し上げて排水口を開き、操作部材３ａを上方へ引き上げることにより、栓体部材２ａを引き下げて排水口を閉止するようになされている。あるいは栓機構部２に、栓体部材２ａを連動させるラチェットギア機構を設けると共に、操作部材３ａを押しボタンとし、この押しボタンの押し込み操作だけで、栓体部材２ａを昇降させるように構成することも考えられる。
【００１０】
本発明に係る排水栓装置１は、図２に示す如く、栓機構部２に温度検知器１０を設け、操作機構部３に温度表示部２０，２１を設けたところを特色とする。同図（Ｂ）〜（Ｄ）に示すように、本例では、栓体部材２ａの表面部に温度検知器１０を、操作部材３ａの表面部に、それぞれ配置する構成を採用した。温度検知器１０には、熱電対やサーミスタが考えられる。
【００１１】
温度表示部は、同図（Ｃ）に示すように、液晶画面２０に数値をデジタル表示するものが挙げられる。あるいは同図（Ｄ）に示すように、色の異なる複数のＬＥＤ２１を取り付け、検知温度によって色の異なるＬＥＤ２１を発光させるように構成してもよい。例えば青・緑・赤の３色のＬＥＤ２１を取り付け、検知温度が４１°Ｃ未満のときは青、４１〜４３°Ｃの範囲にあるときは緑、４３°Ｃを超えると赤を発光させるように設定することが考えられる。いずれにしても、表示を視認し易く、且つ、内容を把握し易くすることが出来る。
【００１２】
ところで、栓機構部２の温度検知器１０と操作機構部３の温度表示部２０，２１とは信号伝達用の配線３０で接続される。本例の如く、温度検知器１０を栓体部材２ａに設け、温度表示部２０（２１）を操作部材３ａに設けた場合、上記配線３０は、操作力の伝達用ケーブル４を利用して配置することが可能である。すなわち、ケーブル４内に配線３０を埋め込んだり、ケーブル４に沿って配線３０を取り付けたり、さらにはケーブル４自体に信号伝達機能を持たせて配線３０に使用したりする態様が挙げられる。また配線３０の途中には、温度検知器１０及び温度表示部２０（２１）へ電力を供給すると共に、温度検知器１０から出力される温度信号に基づいて温度表示部２０，２１に所定の表示を実行させるための制御装置４０が配設される。図面には、この制御装置４０を操作機構部３に一体に組み込んだ例を記載したが、別体構造とすることも妨げない。
【００１３】
かかる構成の排水栓装置１は、浴槽Ｙに手を加えることなく設置できるから、既設の浴槽Ｙを適用対象とすることが可能である。浴槽Ｙに溜めた湯水の温度検知の実行箇所は排水口部分であるから、貯水量が少ないときであっても、温度検知器１０と湯水とを確実に接触させることができる。また温度表示部２０，２１を観察が容易な操作部材３ａの表面部に設けたから表示を読み取りやすい、等の利点が得られる。
【００１４】
本発明に係る浴槽用排水栓装置１は、図３に示すような構成も可能である。本例では、温度検知器１１を、栓機構部２の固定部分２ｂと浴槽Ｙとの間に配置し、両者の間に挟持させて固定する構造を採用した。他方、温度表示部２２も、操作機構部３における固定部分３ｂと、浴槽上縁等の取付対象部材Ｘとの間に配置し、両者の間に挟持させて固定する構造を採用した。本例にあっては、上記温度検知器１１及び温度表示部２２のいずれも、漏水防止用のパッキンを兼用するものとすることができる。あるいは、漏水防止用のパッキン内に組み込むことが考えられる。なお本例の温度表示部２２は、ＬＥＤ等を用いた有色発光により、温度表示を行うものとした。また、温度検知器１１と温度表示部２２とを接続する配線３１を、操作力伝達用のケーブル４とは別に設け、この配線に制御装置４０を設けるものとした。
【００１５】
本例の排水栓装置１は、温度検知器１１及び温度表示部２２を所定箇所に固定する構成を採用しているため、操作部材３ａの操作や、これに伴う栓体部材２ａの昇降の影響を受けないから、長寿命化を図れる。
【産業上の利用可能性】
【００１６】
浴槽用排水栓装置１における温度検知器を、入浴者の脚部分を密接させることが可能な形態とし、入浴者が脚を温度検知器に接触させることにより、体温測定を行えるように構成することが考えられる。このようにすれば、入浴中の体温変化を監視することが簡単になるので、健康状態や体調に応じた適切な入浴時間の設定が容易になる。特に、高血圧や心臓疾患を有する者に対する安全で快適な入浴時間の調整が可能となる。
【図面の簡単な説明】
【００１７】
【図１】本発明を適用した浴槽を例示する側面断面図である。
【図２】本発明に係る浴槽用排水栓装置の一例を示すものであって、図（Ａ）は全体の側面図、図（Ｂ）は栓体部材の平面図、図（Ｃ）は操作部材の平面図、図（Ｄ）は操作部材の異なる態様の平面図である。
【図３】本発明に係る浴槽用排水栓装置の異なる例を示すものであって、図（Ａ）は全体の側面図、図（Ｂ）は栓体部材の平面図、図（Ｃ）は操作部材の平面図である。
【符号の説明】
【００１８】
Ｙ…浴槽
１…浴槽用排水栓装置
２…栓機構部
２ａ…栓体部材
３…操作機構部
３ａ…操作部材
４…操作力伝達手段
１０，１１…温度検知器
２０，２１，２２…温度表示部
３０，３１…信号伝達用配線
４０…制御装置
【図１】
2005207126.tif 000003
【図２】
2005207126.tif 000004
【図３】
2005207126.tif 000005